【事件の表示】
　特願２００１−　２００６５「ヘッド支持体及び磁気ディスク装置」拒絶査定不服審判事件〔平成１３年　８月３１日出願公開、特開２００１−２３６６２０〕について、次のとおり審決する。
【結　論】
　本件審判の請求は、成り立たない。
【理　由】
１．手続きの経緯・本願発明
　本願は、平成３年４月２６日に出願した特願平３−９７２７５号の一部を平成１３年１月２９日に新たな特許出願としたものであって、その請求項１，２に係る発明は、平成１６年１月１９日付け及び平成１６年１０月４日付けの手続補正書により補正された明細書及び図面の記載からみて、特許請求の範囲の請求項１，２に記載されたとおりのものと認めるところ、その請求項１に記載された発明（以下、「本願発明」という。）は次のとおりである。
　
「磁気ヘッドを支持するための薄板状のヘッド支持体において、
　前記ヘッド支持体は、その一端側で前記磁気ヘッドを支持するものであり、且つ、その他端側でヘッドアームに支持されるものであり、
　前記ヘッド支持体は、その薄板面上に、平板状の第１の絶縁薄膜、前記磁気ヘッドに接続されて前記磁気ヘッドからの信号を伝達する導線、及び平板状の第２の絶縁薄膜を順次有し、
　前記第１と第２の絶縁薄膜及び前記導線は、前記ヘッド支持体の前記一端側と前記他端側との間で延在すると共に、前記他端側で前記ヘッド支持体から延出し、且つ、前記ヘッド支持体の長手方向の、前記一端から離れる方向に延出して成り、
　前記他端側の先端部にはランド部が形成されている、
ことを特徴とするヘッド支持体。」
　
２．引用例に記載された事項
（１）これに対して、原査定の拒絶の理由に引用された、実願昭６０−５３３９８号（実開昭６１−１７０１１３号）のマイクロフィルム（以下「引用例１」という。）には、磁気ディスク装置のリード線構造について、次の事項が記載されている。
ア．
「
磁気ヘッドに接続されるリード線をフレキシブル基板に構成し、
イ．
「この考案の一実施例を第１図に示す。このリード線基板３２は、フレキシブル基板３４に銅線等のリード線２２がプリント配線されている。
リード線基板３２は、ロードスプリング１０の表面長手方向に沿って配設される直線部分３６と、直線部分３６の先端から側方に引き出された引出部４０と、
直線部分３６の後端から側方に引き出された引出部４４と、引出部４４の先に構成された電気回路との接続端子４６とを備えている。
　引出部４０は容易に屈曲できるように細幅に形成されている。
コアスライダとの接続端子部４２の先端部には、各リード線２２の端子４８が等間隔に構成されている。
電気回路との接続端子部には、各リード線２２の端子５０が等間隔に構成されている。
リード線２２はフレキシブル基板３４内に外部と絶縁されて構成する
　第１図の
リード線基板３２をヘッド支持装置に配設した
ロードスプリング１０の先端部にフレクシャ１２を介してコアスライダ１４を支持し、ロードスプリング１０の後端部にスイングアーム等に取り付けるためのプレート１６が取り付けられている。
ウ．
「この考案の他の実施例を第７図に示す。このリード線基板６０は、
引出部４０''を真直ぐに構成したもので、
エ．
「以上説明したように、この考案によれば、リード線をフレキシブル基板に構成し、これらリード線の端子を磁気ヘッド側の端子と適合するように構成したので、ハンダ付等による接合の際の位置決めが容易であり、しかもリード線をチューブなどに通す手間も必要ないので、熟練していなくとも短時間で確実にリード線を配設することができる。
　また、従来のリード線２〜３本、チューブといった部品がフレキシブル基板１枚になることにより部品点数が削減され、工数の削減と合せてコストダウンを計ることができる。
　また、リード線をプリント配線で構成すれば、信頼性や耐久性が向上する。
　さらに、この考案によればハンダ付け等接合の際の位置決めが容易であるので、接合の自動化も容易になり、量産を図ることができる。」（明細書第１２頁第１行〜第１７行）
　
（２）同じく、原査定の拒絶の理由に引用された、特開平２−２０７０００号公報（以下「引用例２」という。）には、ＦＰＣ（フレキシブルプリント基板）について、次の事項が記載されている。
オ．
「前記ＦＰＣは、ベース絶縁フィルムの上に銅箔からなる信号線パターン（回路）があり、その上にパターン同志や他の物とショートしないように、例えば、ポリイミド系の樹脂フィルム等の絶縁膜が被覆されている。そして、振動子やケーブルとの結線部は、半田付けが行えるように前記絶縁膜が除いである。」（第２頁右上欄第４行〜同第１０行）
　
（３）同じく、原査定の拒絶の理由に引用された、実願昭６３−６７２０５号（実開平１−１７１０５７号）のマイクロフィルム（以下「引用例３」という。）には、フレキシブル基板について、次の事項が記載されている。
カ．
「第４図に示す如く、１は基板となるベースフィルム、２は配線である銅箔、３は保護膜となるカバーフィルムである。」（明細書第１頁１９行〜第２頁第１行）
　
（４）同じく、原査定の拒絶の理由に引用された、実願昭６０−３４７８４号（実開昭６１−１５３１１７）のマイクロフィルム（以下「引用例４」という。）には、磁気ディスク装置における信号伝送路の引出構造について、次の事項が記載されている。
キ．
「フレキシブル基板５２上の先端部は、第５図Ｂ−Ｂ矢視図である第６図に示すようにフランジ１３を越えて、フレクシャー１０の側方に信号取出ランド５２ａを構成している。
　フレキシブル基板５２上には、リード線５４，５６がプリント配線されている。リード線５４，５６の端部は信号取出ランド５２ａにおいて端子５４ａ，５６ａを形成している。」（明細書第８頁第６行〜第１４行）
　
３．引用例１の発明
　上記「２．（１）」において摘記された、リード線基板がフレキシブル基板内に銅線等のリード線がプリント配線されて構成され、リード線基板の先端部の引出部が真直ぐである第７図の実施例によれば、引用例１には、次の発明（以下、「引用例１の発明」という。）が記載されている。
　
「先端部に磁気ヘッドを支持し、後端部にスイングアームに取り付けるためのプレートが取り付けられ、前記磁気ヘッドに接続されるリード線基板を配設したロードスプリングであって、
　前記リード線基板は、前記リード線がフレキシブル基板内に外部と絶縁され、前記ロードスプリングの表面長手方向に沿って配設される直線部分と、前記直線部分の先端から真直ぐに引き出された引出部と、引出部の先に構成された接続端子部に形成された端子とを有し、該端子が前記磁気ヘッドに接続されるロードスプリングにおいて、
　前記直線部分の後端から側方に引き出された引出部の先に構成された電気回路との接続端子部に、端子が等間隔に構成されたロードスプリング。」
　
４．対比
　本願発明と引用例１の発明とを対比する。
　引用例１の発明の「磁気ヘッド」「ロードスプリング」「スイングアーム」は、本願発明の「磁気ヘッド」「ヘッド支持体」「ヘッドアーム」にそれぞれ相当し、「ロードスプリング」は平らな形状（引用例１の図２，４参照）であり、引用例１の発明の「先端部に磁気ヘッドを支持し、後端部にスイングアームに取り付けるためのプレートが取り付けられ、前記磁気ヘッドに接続されるリード線基板を配設したロードスプリング」は、本願発明の「磁気ヘッドを支持するための薄板状のヘッド支持体において、前記ヘッド支持体は、その一端側で前記磁気ヘッドを支持するものであり、且つ、その他端側でヘッドアームに支持されるもの」に相当する。
　引用例１の発明の、「磁気ヘッド」に接続される「リード線」は、磁気ヘッドからの信号を伝達する線において、本願発明の「導線」に相当する。
　引用例１の発明の「リード線基板」の形状は、「ロードスプリング」と同様に平らな形状（引用例１の第４図の斜視図；３２、第７図；６０参照）である。フレキシブル基板内にリード線がプリント配線された構成は、引用例２及び引用例３にも記載され、実願昭６３−８６９８８号（実開平２−９４６３号）のマイクロフィルム（フレキシブルプリント基板ＦＰＢ）の周知例にも記載されているように、平板状の第１の絶縁薄膜、銅線、及び平板状の第２の絶縁薄膜を順次有した構成である。しれみれば、引用例１の発明におけるフレキシブル基板内に銅線等のリード線がプリント配線されている「リード線基板」（上記イ参照）は、平板状の第１の絶縁薄膜、リード線、及び平板状の第２の絶縁薄膜を順次有した構成であることは明らかである。したがって、引用例１の発明において、「リード線基板は、リード線がフレキシブル基板内に外部と絶縁され、ロードスプリングの表面長手方向に沿って配設される直線部分と、前記直線部分の先端から真直ぐに引き出された引出部と、引出部の先に構成された接続端子部に形成された端子とを有し、該端子が前記磁気ヘッドに接続されるロードスプリング」は、ロードスプリングの表面長手方向に、「リード線基板」の先端の引出部から後端の引出部を配設（引用例１の第４図参照）した構成において、本願発明の「ヘッド支持体は、その薄板面上に、平板状の第１の絶縁薄膜、前記磁気ヘッドに接続されて前記磁気ヘッドからの信号を伝達する導線、及び平板状の第２の絶縁薄膜を順次有し、前記第１と第２の絶縁薄膜及び前記導線は、前記ヘッド支持体の一端側と他端側との間で延在する」構成に相当する。
　引用例１の「リード線基板」の、「直線部分の後端から側方に引き出された引出部の先に構成された電気回路との接続端子部」は、ロードスプリングから延出している構成において、本願発明の、「他端側で前記ヘッド支持体から延出」した構成に相当する。
　　
　したがって、両者の一致点及び相違点は、次のとおりである。
＜一致点＞
「磁気ヘッドを支持するための薄板状のヘッド支持体において、
　前記ヘッド支持体は、その一端側で前記磁気ヘッドを支持するものであり、且つ、その他端側でヘッドアームに支持されるものであり、
　前記ヘッド支持体は、その薄板面上に、平板状の第１の絶縁薄膜、前記磁気ヘッドに接続されて前記磁気ヘッドからの信号を伝達する導線、及び平板状の第２の絶縁薄膜を順次有し、
　前記第１と第２の絶縁薄膜及び前記導線は、前記ヘッド支持体の前記一端側と前記他端側との間で延在すると共に、前記他端側で前記ヘッド支持体から延出するヘッド支持体。」
　
＜相違点＞
　本願発明では、第１と第２の絶縁薄膜及び導線の他端側が、「ヘッド支持体の長手方向の、一端から離れる方向に延出して成り」、「他端側の先端部にはランド部が形成されている」のに対して、引用例１の発明には、かかる構成が記載されていない点。
　
５．当審の判断
　上記相違点について検討する。
　ヘッド支持体の先端に磁気ヘッドが設けられ、磁気ヘッドからの信号線が、ヘッド支持体からスイングアームを経てキャリッジまで延びて、キャリッジ側面に固定されたフレキシブルプリント基板のランド部に接続される構成の磁気ディスク装置は、周知（特開昭６２−２４６１２０号公報；磁気ヘッド１からのリード線１ａ、実願昭６２−１６２９９５号（実開平１−６６６９４号）のマイクロフィルム；磁気ヘッド２からの引し出し線３）である。しれみれば、先端側引出部が真直ぐに延出したリード線基板の、引用例１の発明において、リード線基板の後端の接続端子部の端子をキャリッジ上のフレキシブル基板に接続するように、リード線基板の後端側の引出部を、曲がりの少ない形状で、ロードスプリングの長手方向の、磁気ヘッドから離れる方向に延出した構成とすることは、当業者であれば、適宜になし得たことと認められる。
　また、フレキシブルプリント基板の接続部にランド部を形成することは、引用例３及び、前記「３．」の周知例の実願昭６３−８６９８８号（実開平２−９４６３号）のマイクロフィルム（第１，３図；接続用ランド１５）にも記載された周知慣用技術であるから、引用例１の発明において、「リード線基板」の先端をフレキシブル基板に接続する際に、「リード線基板」の端部にランド部を形成して接続するように構成することは、当業者であれば、適宜になし得たことと認められ、格別な発明力を要するものとは認められない。
　前記相違点を検討しても奏される効果は当業者が当然に予測できる範囲内のものと認められる。
　 
６．むすび
　したがって、本願発明は、それぞれ引用例１乃至４に記載された発明に基いて、当業者が容易に発明をすることができたものであるので、特許法第２９条第２項の規定により特許を受けることができない。
　他の請求項について検討するまでもなく、本願は、拒絶すべきものである。
  よって、結論のとおり審決する。